(57)【要約】【課題】給紙トレイの出口部において給紙ジャムが発生した場合、画像形成動作を停止することなく継続可能に制御できる制御手段を有する画像形成装置を提供する。【解決手段】記録材検知手段により給紙ジャムと判断された場合には、制御手段は同じサイズ又は同じサイズ、かつ、同じ紙種の記録材が別の給紙トレイに収納されているかどうかの判断を行い、さらに、同じサイズ又は同じサイズ、かつ、同じ紙種の記録材を収納した該別の給紙トレイがあると判断した場合には、該別の給紙トレイに切り換え、さらに操作部に給紙ジャムを表示し、画像形成動作を継続するように制御することを特徴とする画像形成装置。【選択図】　　　　図２
2004077973.tif 000002
【特許請求の範囲】
【請求項１】
記録材を収納する複数の給紙トレイ、該給紙トレイ内に記録材のサイズを検出する記録材サイズ検出手段、前記給紙トレイの出口部で共通搬送路に合流する手前の上流に記録材検知手段を有し、画像形成のための前記複数の給紙トレイの何れかから記録材を給紙すると共に前記記録材検知手段の検知結果により記録材の給紙ジャムと判断された場合には、同じサイズの記録材が別の給紙トレイに収納されているかどうかの判断を行う制御手段を有し、該制御手段が同じサイズの記録材を収納する別の給紙トレイがあると判断した場合には、該別の給紙トレイに切り換え、画像形成動作を継続するように制御することを特徴とする画像形成装置。
【請求項２】
前記制御手段が同じサイズ、かつ、同じ紙種の記録材を収納する別の給紙トレイがあると判断した場合には、該別の給紙トレイに切り換え、画像形成動作を継続するように制御することを特徴とする請求項１に記載の画像形成装置。
【請求項３】
前記記録材検知手段が給紙ジャムと判断すると共に、同時又は一連の動作が終わった時に、操作部に給紙ジャムを表示するよう制御することを特徴とする請求項１又は２に記載の画像形成装置。
【請求項４】
前記制御手段が記録材の紙種が異なる場合の給紙を許可するか禁止するかの判断を選択する紙種選択手段を有することを特徴とする請求項１又は２に記載の画像形成装置。
【請求項５】
前記制御手段が同じサイズの記録材を収納する別の給紙トレイがないと判断した場合には、操作部に給紙ジャムを表示し、画像形成動作を停止するように制御することを特徴とする請求項１に記載の画像形成装置。
【発明の詳細な説明】
【０００１】
【発明の属する技術分野】
本発明は、電子写真複写機、ファクシミリ、プリンタ等の画像形成装置に係わり、特に、給紙トレイよりの記録材の給送に関する。
【０００２】
【従来の技術】
従来、記録材を収納するための給紙トレイを複数備える画像形成装置では、選択した給紙トレイ内の記録材を１枚づつ給紙トレイから送り出している時に、給紙トレイの出口部において給紙ジャムが発生した場合には、その時点で画像形成装置の画像形成動作が中止してしまう。
【０００３】
そのため、給紙ジャムを発生した記録材を画像形成装置の扉を開けて取り除き、再度画像形成装置の画像形成動作を操作者が再開させる操作をしなくてはならない。
【０００４】
この間、装置が完全にストップするので、特に大量処理中には大変な時間ロスとなってしまう。
【０００５】
さらに、装置内に残留している記録材の排除、操作ボタン押圧ミスによるトラブルの発生、記録材排除の不完全による再度の給紙ジャム発生等の懸念も考えられ、時間及び記録材ロスを増大させる恐れがある。
【０００６】
なお、本発明における給紙ジャムとは、給紙スタートから規定時間以内に記録材検知手段が記録材先端を検知しない場合を示す。
【０００７】
【発明が解決しようとする課題】
本発明は、上記の点に鑑みてなされたもので、その目的は、給紙トレイの出口部において、給紙ジャムが発生した場合でも、画像形成動作を停止することなく継続可能にし、画像形成装置停止による時間ロスや再起動時におけるトラブル等による生産性の低下を防ぐことにある。
【０００８】
【課題を解決するための手段】
本発明の上記目的は、以下の構成により達成される。
【０００９】
（１）　記録材を収納する複数の給紙トレイ、該給紙トレイ内に記録材のサイズを検出する記録材サイズ検出手段、前記給紙トレイの出口部で共通搬送路に合流する手前の上流に記録材検知手段を有し、画像形成のための前記複数の給紙トレイの何れかから記録材を給紙すると共に前記記録材検知手段の検知結果により記録材の給紙ジャムと判断された場合には、同じサイズの記録材が別の給紙トレイに収納されているかどうかの判断を行う制御手段を有し、該制御手段が同じサイズの記録材を収納する別の給紙トレイがあると判断した場合には、該別の給紙トレイに切り換え、画像形成動作を継続するように制御することを特徴とする画像形成装置。
【００１０】
（２）　前記制御手段が同じサイズ、かつ、同じ紙種の記録材を収納する別の給紙トレイがあると判断した場合には、該別の給紙トレイに切り換え、画像形成動作を継続するように制御することを特徴とする（１）に記載の画像形成装置。
【００１１】
（３）　前記記録材検知手段が給紙ジャムと判断すると共に、同時又は一連の動作が終わった時に、操作部に給紙ジャムを表示するよう制御することを特徴とする（１）又は（２）に記載の画像形成装置。
【００１２】
（４）　前記制御手段が記録材の紙種が異なる場合の給紙を許可するか禁止するかの判断を選択する紙種選択手段を有することを特徴とする（１）又は（２）に記載の画像形成装置。
【００１３】
（５）　前記制御手段が同じサイズの記録材を収納する別の給紙トレイがないと判断した場合には、操作部に給紙ジャムを表示し、画像形成動作を停止するように制御することを特徴とする（１）に記載の画像形成装置。
【００１４】
【発明の実施の形態】
本発明の実施形態の一例を、以下、図面に基づいて説明する。
【００１５】
図１は、給紙トレイを複数個（本説明では、１例として３個の場合を示している）有する画像形成装置の正面図である。
【００１６】
図に示すように、参照符号１で示す装置は、デジタル方式による画像形成装置であって、画像読取部Ａ、画像処理部Ｂ、画像形成部Ｃ、記録材搬送手段としての記録材搬送部Ｄ等を有している。
【００１７】
画像読取部Ａの上部には原稿を自動搬送する自動原稿送り手段が設けられていて、原稿載置台１１上に載置された原稿は原稿分離ローラＨにより、１枚づつ分離され、分離された原稿は原稿搬送ローラ１２を介して読み取り位置１３ａに搬送されて、画像の読み取りが行われる。
【００１８】
原稿読み取りが終了した原稿は原稿搬送ローラ１２と原稿排紙ローラＧによって原稿排紙皿１４上に排出される。
【００１９】
このとき、後述する第１ミラーユニット１５は前記読み取り位置１３ａの直下で位置固定状態にあり、第２ミラーユニット１６も所定の光路長を保つ位置に固定されている。
【００２０】
一方、プラテンガラス１３上に置かれた場合の原稿の画像は走査光学系を構成する照明ランプ及び第１ミラーからなる第１ミラーユニット１５の速度ｖによる読み取り動作と、Ｖ字状に位置した第２ミラー及び第３ミラーからなる第２ミラーユニット１６の同方向への速度ｖ／２による移動によって読み取られる。
【００２１】
読み取られた画像は、投影レンズ１７を通してラインセンサである撮像素子ＣＣＤの受光面に結像される。
【００２２】
撮像素子ＣＣＤ上に結像されたライン状の光学像は順次電気信号（輝度信号）に変換されたのち、Ａ／Ｄ変換され、画像処理部Ｂにおいて濃度変換、フィルタ処理などの処理を施された後、その画像データは一旦メモリに記憶される。
【００２３】
画像形成部Ｃでは、画像形成ユニットとして、像担持体である感光体ドラム２１と、その外周に、帯電手段である帯電器２２、現像器２３、感光体ドラム２１上に帯電した像を記録材Ｐに転写する転写極２４、感光体ドラム２１に密着している記録材Ｐを分離する分離極２５、記録材Ｐの搬送手段であるベルト搬送部４５、感光体ドラム２１のクリーニング手段２６及び除電手段としてのＰＣＬ（プレチャージランプ）２７が各々動作順に配置されている。
【００２４】
感光体ドラム２１は、光導電性化合物をドラム基体上に塗布形成したもので、例えば有機感光体が好ましく使用され、矢示の時計方向に駆動回転される。
【００２５】
回転する感光体ドラム２１へは帯電器２２による一様帯電がなされた後、像露光手段としての露光光学系３０により画像処理部Ｂのメモリから呼び出された画像信号に基づいた像露光が行われる。
【００２６】
書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２を介して、感光体ドラム２１に対して矢印で示すＡｏの位置で主操作方向の像露光を行い、また、感光体ドラム２１の回転による副走査を介して感光体ドラム２１上に潜像を形成する。
【００２７】
感光体ドラム２１上の潜像は現像器２３によって反転現像され、感光体ドラム２１の表面に可視像のトナー像が形成される。
【００２８】
一方、記録材搬送部Ｄでは、画像形成部Ｃの下方に異なるサイズ、同サイズあるいは紙種（例えば、ＰＰＣ用通常紙、厚紙、薄紙等）の異なる記録材Ｐが収納された記録材収納手段として、給紙トレイ７１、７２、７３が設けられ、それらのいずれかから選択された給紙トレイ７１（７２、７３）内の記録材Ｐは送り出しローラ７１１（７２１、７３１）により送り出され、搬送ローラ７１２（７２２、７３２）により１枚づつ分離され、記録材検知手段７１３（７２３、７３３）にて給紙状態がチェックされる。
【００２９】
続く案内ローラ対４３ｆ（４３ｇ、４３ｈ）によって共通搬送路４８内を搬送され、さらに共通搬送路４８内の案内ローラ対４３ｃ（４３ｄ、４３ｅ）から案内ローラ対４３ｂへと搬送され、レジストローラ対４４によって一時停止を行った後、当該レジストローラ対４４の回転により再給紙され、給紙経路４６、転写前ローラ対４３ａおよび進入ガイド板４７等を経て転写領域に案内される。
【００３０】
感光体ドラム２１上のトナー像は搬送される記録材Ｐ上に転写位置Ｂｏ（矢印位置）において転写極２４を介して転写され、次いで、前記記録材Ｐは分離極２５の作用で感光体ドラム２１面より分離された後、ベルト搬送部４５により定着部５０に向けて搬送される。
【００３１】
定着部５０は内部に発熱源を有している定着ローラ５１と加圧ローラ５２とを有しており、記録材Ｐが定着ローラ５１と加圧ローラ５２との間を通過する際に、定着ローラ５１と加圧ローラ５２とで加熱、加圧作用を付与し、トナー像を記録材Ｐに融着させる。
【００３２】
トナー像の定着処理がなされた記録材Ｐは、定着排紙ローラ６３によって搬送され、排紙トレイ６４上に排出される。
【００３３】
一方、記録材Ｐが分離された感光体ドラム２１は、クリーニング手段２６によって感光体ドラム２１面の残留トナーの除去・清掃がなされて、次の原稿画像のトナー像の形成を続行するか、もしくは一旦停止して待機する。
【００３４】
なお、次の原稿画像のトナー像の形成が続いて行われるときは、ＰＣＬ２７による感光体ドラム２１の感光体面への全面均一露光が行われて感光体ドラム２１に残留している履歴が消去される。
【００３５】
次に、本発明に係る給紙トレイの自動切り換えについて図１及び２をもとに説明する。
【００３６】
図１に示すように、記録材Ｐを収納する３つの給紙トレイ７１、７２、７３を有する画像形成装置１は、給紙中の給紙トレイ内の記録材Ｐが画像形成処理の途中で給紙ジャムを発生した場合に給紙の自動切り換えを行うため、
（１）給紙トレイ７１、７２、７３の出口部で、搬送ローラ７１２、７２２、７３２よりも記録材Ｐ搬送方向下流側であって、共通搬送路４８に記録材Ｐが合流する位置よりも記録材Ｐ搬送方向上流側に配設された記録材検知手段７１３、７２３、７３３、
（２）記録材Ｐのサイズを検出する記録材サイズ検出手段、
（３）前記給紙トレイ７１、７２、７３内の記録材Ｐの紙種を予め入力設定する操作部Ｓの紙種設定手段、
（４）画像形成のために複数の給紙トレイ７１、７２、７３の何れかから記録材Ｐを給紙すると共に、前記記録材検知手段により給紙ジャムを検知した場合、同じサイズの記録材Ｐを収納する別の給紙トレイがあるかどうかの判断を行う制御手段、とを有している。
【００３７】
なお、記録材サイズ検知手段は、適宜の公知技術を使用することが可能であり、例えば、各給紙トレイ７１、７２、７３に設けられているリードスイッチやタクトスイッチのＯＮ／ＯＦＦにて記録材サイズを検知することができる。
【００３８】
また、紙種設定手段は、画像形成装置１の操作部Ｓに設けられ、操作部Ｓには種々の条件の表示の切り換え及び入力設定を行うことのできるタッチパネルを兼ねる液晶表示画面部及びコピーボタン等が配設され、前記タッチパネルの紙種設定手段を操作することにより、記録材Ｐの紙種を設定できる。
【００３９】
前記制御手段は、さらに画像形成中の記録材Ｐと同じサイズ又は同じサイズ、かつ、同じ紙種の記録材Ｐを収納した別の給紙トレイの有無の判断を行う給紙トレイ選択部を有すると共に、画像形成中の記録材Ｐと同じ紙種の記録材Ｐを収納する別の給紙トレイの有無の判断を行う紙種選択手段を有し、同じサイズ、かつ、同じ紙種の記録材Ｐを有する前記別の給紙トレイがあると判断した場合には、前記別の給紙トレイによる給紙を行うように切り換え制御を行っている。
【００４０】
なお、紙種選択手段は、操作部Ｓに設けた紙種選択ボタンを押下することにより機能し、同じサイズ及び同じ紙種の記録材Ｐを選択し、別の給紙トレイより給紙することができる。
【００４１】
一方、紙種選択ボタンを押下しない場合は、紙種選択手段が機能しないため、同じサイズの記録材Ｐが選択され、異なる紙種の記録材Ｐであっても別の給紙トレイより給紙することができる。
【００４２】
このため、記録材Ｐの紙種が異なる場合の給紙を許可するか禁止するかの判断は、前記紙種選択ボタンを予め押下するか押下しないかの選択により決めることができる。
【００４３】
図２は、以上の内容を図１をもとに模式的に示すもので、その１例として、給紙トレイ７１と７２との関係において説明する。
【００４４】
給紙トレイ７１より記録材Ｐを給紙している時に、給紙ジャムを発生した場合（すなわち、給紙スタート信号から規定時間以内に記録材検知手段７１３によって記録材Ｐの送り方向の先端検知が成されない場合には、給紙ジャムと判断される。）は、記録材先端が記録材検知手段７１３に検知される直前（上流側）の案内ローラ４３ｆの所で引っ掛かった状態（給紙ジャム状態）で停止しているか、あるいは、給紙７１１での給紙ミスにより給紙トレイ７１から送り出されていない状態にある。
【００４５】
このため、記録材Ｐは共通搬送路４８に進入する前に停止しているため、別の給紙トレイ７２から画像形成部Ｃへの記録材Ｐの搬送が可能となる。
【００４６】
図２においては、同じ記録材Ｐを収納した給紙トレイ７２から継続して給紙トレイ７１の代わりに記録材Ｐが送り出しローラ７２１、続く搬送ローラ７２２にて給紙され、案内ローラ対４３ｇ、共通搬送路内を搬送されている状態を示している。
【００４７】
以上の説明においては、給紙トレイ７１、７２、７３の間の別の組み合わせにおいても、同様に成り立つことである。
【００４８】
なお、給紙トレイ出口部において案内ローラ対４３ｆ（４３ｇ、４３ｈ）がない構成を成したものもあるが、上記同様に成り立つものである。
【００４９】
また、案内ローラ４３ｆは、画像形成装置１の構造上、各給紙トレイごとに配設せず、下流側の共通搬送路４８にあってもよい。
【００５０】
さらに、共通搬送路４８は、画像形成装置１によっては、垂直方向以外に記録材Ｐを搬送する場合もある。
【００５１】
図３は、記録材のサイズ検出による給紙トレイ自動切り換え制御のフローチャートである。
【００５２】
ここで、給紙トレイ７１、７２、７３に記録材Ｐが収納され、給紙トレイ７１から記録材Ｐが給紙される状態にあるものとする。
【００５３】
操作部Ｓにおけるコピーボタンが操作されることで給紙制御はスタートし、制御手段により給紙トレイ７１が選択され（ＳＴ１）、給紙動作が開始され（ＳＴ２）、給紙トレイ７１より記録材Ｐの給紙がなされ、記録材検知手段７１３により記録材Ｐの先端が検知される。
【００５４】
記録材Ｐ１枚毎に、給紙開始信号から記録材検知手段７１３による記録材Ｐの先端検知信号までの時間がカウントされており、予め設定された時間と比較し、予め設定された時間より短い場合には、ＳＴ３においては給紙ジャムの発生なし（すなわち「ＮＯ」）と判断され、ＳＴ８へ進み、記録材Ｐ上に画像形成が行われ、画像形成動作を継続し、動作が終了（エンド）する。
【００５５】
一方、予め設定された時間より長い場合には、ＳＴ３においては給紙ジャムの発生ありと判断され、給紙トレイ７１の給紙動作は停止し（ＳＴ４）、操作部Ｓの液晶表示画面部に給紙トレイ７１の「給紙ジャム」を表示して、操作者に給紙トレイ７１のトラブルを明示し、ＳＴ５へ進む。
【００５６】
なお、操作部Ｓにおける給紙ジャムの表示は、上記した給紙ジャム発生判断と同時か、又は一連の動作終了時（次のステップのＳＴ５での判断の後において）に実行してもよい。
【００５７】
ＳＴ５において、待機している前記給紙トレイ７２、７３の中に給紙トレイ７１に収納されていた記録材Ｐと同一サイズの記録材Ｐを収納した給紙トレイがあるか否かを、記録材サイズ検出手段による検出結果をもとに制御手段が判断し、「ＹＥＳ」であれば、ＳＴ６に進み、同じサイズの記録材Ｐでないと判断（「ＮＯ」）されればＳＴ９に進む。
【００５８】
ＳＴ６では、該当する別の給紙トレイ７２又は７３への切り換え制御がなされ、ＳＴ７にて該当する給紙トレイにて給紙動作を開始し、ＳＴ８にて画像形成を行い、引き続き画像形成装置１を停止することなく、継続して画像形成が行われる。
【００５９】
一方、同じサイズの記録材Ｐが無くてＳＴ９に進んだ場合は、操作部Ｓの表示画面部に給紙トレイ７１の給紙ジャムを表示すると共に、画像形成装置１の動作を停止し終了（エンド）する。
【００６０】
なお、給紙トレイ７１の給紙ジャムは、一連の画像形成作業が終了した後に、操作部Ｓのトラブル表示をもとに給紙ジャムを発生した箇所の原因を取り除き、現状復帰させることが可能である。
【００６１】
図４は、記録材サイズ及び紙種検知による給紙トレイ自動切り換え制御のフローチャートである。
【００６２】
操作部Ｓにおいて予め紙種設定手段の設定及び紙種選択手段の紙種選択ボタンの押下が成され、かつ、給紙トレイ７１、７２、７３にそれぞれ記録材Ｐが収納され、給紙トレイ７１から記録材Ｐが給紙される状態にあるものとする。
【００６３】
操作部Ｓにおけるコピーボタンが操作されることで給紙制御はスタートし、制御手段により給紙トレイ７１が選択され（ＳＴ１１）、給紙動作を開始し（ＳＴ１２）、給紙トレイ７１より記録材Ｐは給紙がなされ、記録材検知手段７１３により記録材Ｐの先端が検知される。
【００６４】
記録材Ｐ１枚毎に給紙開始信号から記録材検知手段７１３による記録材Ｐの先端検知信号までの時間がカウントされており、予め設定された時間と比較し、予め設定された時間より短い場合には、ＳＴ１３においては給紙ジャムの発生なし（すなわち、「ＮＯ」）と判断され、ＳＴ２１へ進み、記録材Ｐ上に画像形成が行われ、画像形成動作を継続し、動作が終了（「エンド」）する。
【００６５】
一方、予め設定された時間より長い場合には、ＳＴ１３においては給紙ジャムの発生ありと判断され、給紙トレイ７１の給紙動作を停止（ＳＴ１４）し、操作部Ｓの液晶表示画面部に給紙トレイ７１の「給紙ジャム」を表示して、操作者に給紙トレイ７１のトラブルを明示し、ＳＴ１５に進む。
【００６６】
なお、操作部Ｓにおける給紙ジャムの表示は、上記した給紙ジャム発生判断と同時か、又は一連の動作終了時（ステップＳＴ１８での判断の後において）に実行してもよい。
【００６７】
ＳＴ１５において、待機している別の給紙トレイ７２又は７３の中に給紙トレイ７１で画像形成していた記録材Ｐと同じサイズの記録材Ｐを収納した別の給紙トレイ７２又は７３があるか否か、を記録材サイズ検出手段による検出結果をもとに制御手段が判断し、「ＹＥＳ」であれば、ＳＴ１６に進み、同じサイズの記録材Ｐを収納した別の給紙トレイが選択され、同じサイズの記録材Ｐではないと判断（「ＮＯ」）されれば、ＳＴ２２に進み、画像形成装置１の動作を停止し終了（エンド）する。
【００６８】
ＳＴ１７において、操作部Ｓに設けた紙種選択ボタンを予め押下していたか否かにより、別の給紙トレイ７２又は７３に収納された記録材Ｐの紙種選択を実行するか否かの判断を実行し、紙種選択ボタンを押下してある場合（「ＹＥＳ」）には、ＳＴ１８に進む。
【００６９】
一方、ＳＴ１７において、紙種選択ボタンを押下していない場合（「ＮＯ」）には、記録材Ｐの紙種選択は実行しなくてもよいとの判断であるから、同じサイズの記録材Ｐを収納した別の給紙トレイ７２又は７３が選択され、ＳＴ１９に進み、同じサイズを収納した別の給紙トレイ７２又は７３への切り換え制御がなされ、ＳＴ２０にて該当する別の給紙トレイ７２又は７３にて給紙動作を開始し、ＳＴ２１にて引き続き画像形成装置１を停止することなく、継続して画像形成が行われる。
【００７０】
ＳＴ１８において、ＳＴ１６にて選択された別の給紙トレイ７２又は７３に収納された同じサイズの記録材Ｐが同じ紙種の記録材Ｐでもあると判断（「ＹＥＳ」）された場合には、ＳＴ１９に進み、「ＮＯ」（同じ紙種の記録材Ｐではない）と判断された場合には、ＳＴ２２に進む。
【００７１】
ＳＴ１９において、同じサイズ、かつ、同じ紙種を収納した別の給紙トレイ７２又は７３への切り換え制御がなされ、ＳＴ２０にて該当する別の給紙トレイ７２又は７３にて給紙動作を開始し、ＳＴ２１にて引き続き画像形成装置１を停止することなく、継続して画像形成が行われる。
【００７２】
一方、ＳＴ１８において、「ＮＯ」と判断されＳＴ２２へ進んだ場合は、ＳＴ１３にて「給紙ジャム」を表示するよう制御していなければ、操作部Ｓの表示画面部に給紙トレイ７１の給紙ジャムを表示すると共に、画像形成装置１の動作を停止し終了（エンド）する。
【００７３】
図５は、画像形成装置１の電気的構成を示すブロック図である。
図１を参照しながら説明すると、各部を制御するＣＰＵからなる制御手段１００は、自動原稿送り手段から順次搬送される原稿に対して画像の読み取りと変換を行う画像読取部Ａ、濃度変換やフィルタ処理などを行う画像処理部Ｂ、画像処理された前記画像データを記憶するメモリＥ、前記メモリＥから画像信号に基づいて感光体ドラム上に像露光を行い画像を形成する画像形成部Ｃ、記録材Ｐのサイズを検知する記録材サイズ検出手段Ｔ１が設けられた給紙トレイＴ（図１における７１、７２、７３を示す）、記録材検知手段Ｄ１（図１における７１３、７２３、７３３を示す）の信号に基づき記録材Ｐの搬送を制御する記録材搬送部Ｄ（図１における送り出しローラ７１１、７２１、７３１、搬送ローラ７１２、７２２、７３２及びその駆動を制御する制御手段１００（図５に示す）をいう）及び紙種設定手段Ｓ１と給紙トレイ選択部Ｓ２と紙種選択手段Ｓ３とを有する操作部Ｓに対して信号の授受や制御を行う。
【００７４】
前記紙種設定手段Ｓ１は給紙トレイＴに収納されている記録材Ｐの紙種を入力して設定する手段であり、給紙トレイ選択部Ｓ２は画像形成中の記録材Ｐと同じサイズ又は同じサイズ、かつ、同じ紙種の記録材Ｐを収納した別の給紙トレイＴの有無の判断を行うものであり、紙種選択手段Ｓ３は記録材Ｐの紙種が違う場合に、給紙トレイＴからの給紙の許可の設定を選択して入力する手段である。
【００７５】
以上の構成にて制御を行うことにより、画像形成中の給紙トレイが給紙ジャムを発生した場合でも、同じサイズ又は同じサイズ、かつ、同じ紙種の記録材Ｐを収納した別の給紙トレイがあれば、該別の給紙トレイに切り換えて記録材Ｐを給紙し、画像形成動作を継続することが可能になる。
【００７６】
なお、本発明の実施の形態では、電子写真方式の画像形成装置を１例として説明したが、これ以外に、インクジェット方式等各種プリンタ、ファクシミリ等の複数の給紙トレイを有し、各々の該給紙トレイに記録材を搭載した画像形成装置においても適用可能である。
【００７７】
【発明の効果】
給紙ジャムが発生しても画像形成動作を停止することなく継続して実行することができるようになり、画像形成装置の生産性の低下を防ぐことが可能になる。
【図面の簡単な説明】
【図１】画像形成装置の全体の構成図。
【図２】給紙トレイ部の記録材搬送状態を示す模式図。
【図３】記録材サイズ検出による給紙トレイの自動切り換え制御フローチャート。
【図４】記録材サイズ及び紙種検知による給紙トレイの自動切り換え制御フローチャート。
【図５】画像形成装置の電気的構成を示すブロック図。
【符号の説明】
１　画像形成装置
７１　給紙トレイ
１００　制御手段
７１３　記録材検知手段
４３ｆ　案内ローラ
Ａ　画像読取部
Ｂ　画像処理部
Ｃ　画像形成部
Ｄ　記録材搬送部
Ｐ　記録材
Ｓ　操作部
Ｓ１　紙種設定手段
Ｓ２　給紙トレイ選択部
Ｓ３　紙種選択手段
【図１】
2004077973.tif 000003
【図２】
2004077973.tif 000004
【図３】
2004077973.tif 000005
【図４】
2004077973.tif 000006
【図５】
2004077973.tif 000007